(57)【要約】【課題】秒単位で起こる粉粒体の供給量の斑を防止し、非常に高い精度で粉粒体供給量を制御できる粗面化装置および粗面化方法を提供すること。【解決手段】本発明の粗面化装置は、粗面化に使用する粉粒体を所定量づつ供給する粉粒体定量供給装置が、粉粒体を収容する貯留タンク２と、一端側で貯留タンクから粉粒体を受け容れ、受け容れた粉粒体を、内部に配置されたスクリューコンベア８によって他端に設けられた供給口２０に向けて搬送する搬送手段４と、搬送手段の他端側であって供給口よりも上流側に形成された空間部からなる充填室１８と、充填室と供給口との間に設けられ、粉粒体が通過する開口を形成する規制板１６と、を備え、規制板による開口の開口率（Ｓ２／Ｓ１）が０．０１％〜９．５％である（ここで、Ｓ１は充填室の搬送方向に直交する方向の断面積から軸の断面積を差し引いた面積、Ｓ２は規制板による開口部の面積である。）ことを特徴とする。【選択図】図１
2012056710.tif 000002
【特許請求の範囲】
【請求項１】
粗面化装置であって、
粗面化に使用する粉粒体を所定量づつ供給する粉粒体定量供給装置を備え、
該粉粒体定量供給装置が、
前記粉粒体を収容する貯留タンクと、
一端側で前記貯留タンクから粉粒体を受け容れ、前記受け容れた粉粒体を、内部に配置されたスクリューコンベアによって他端に設けられた供給口に向けて搬送する搬送手段と、
該搬送手段の他端側であって前記供給口よりも上流側に形成された空間部からなる充填室と、
該充填室と前記供給口との間に設けられ、前記粉粒体が通過する開口を形成する規制板と、を備え、
前記規制板による開口の開口率（Ｓ２／Ｓ１）が０．０１％〜９．５％である、
（ここで、Ｓ１は充填室の搬送方向に直交する方向の断面積から軸の断面積を差し引いた面積、Ｓ２は規制板による開口部の面積である。）、
ことを特徴とする粗面化装置。
【請求項２】
前記開口の幅が、前記粉粒体の最大径の２〜１０倍である、
請求項１に記載の粗面化装置。
【請求項３】
前記充填室の搬送方向に直交する方向の断面が、略円形の断面形状を有し、
前記規制板が、略円形の板形状を有し、前記充填室の前記断面形状に対し同心状に配置されている、
請求項１または２に記載の粗面化装置。
【請求項４】
前記規制板が、前記搬送手段の一端側に向かって先細りする截頭円錐形状を有している、
請求項１または２に記載の粗面化装置。
【請求項５】
粗面化に使用する粉粒体を所定量づつ供給する粉粒体定量供給装置を使用した粗面化方法であって、
該粉粒体定量供給装置であって、前記粉粒体を収容する貯留タンクと、一端側で前記貯留タンクから粉粒体を受け容れ、前記受け容れた粉粒体を、内部に配置されたスクリューコンベアによって他端に設けられた供給口に向けて搬送する搬送手段と、該搬送手段の他端側であって前記供給口よりも上流側に形成された空間部からなる充填室と、該充填室と前記供給口との間に設けられた規制板であって、前記粉粒体が通過する開口を形成する規制板と、を備え、前記規制板による開口率（Ｓ２／Ｓ１）が０．０１％〜８％である粉粒体定量供給装置から供給された粉粒体で粗面化するステップを備えている、
（ここで、Ｓ１は充填室の搬送方向に直交する方向の断面積から軸の断面積を差し引いた面積、Ｓ２は規制板による開口部の面積である。）、
ことを特徴とする粗面化方法。
【発明の詳細な説明】
【技術分野】
【０００１】
本発明は、概略的には、粗面化装置および粗面化方法に関し、詳細には、エッジライト方式面光源で使用される導光体等の粗面化に適した粗面化装置および該装置を使用した導光体等の粗面化方法に関する。
【背景技術】
【０００２】
液晶表示装置においては、装置のコンパクト化を図ることができるなどの理由から、板状の導光体の一端面に光源からの光を入射させて導光体内を伝搬させ、表面から出射させる所謂エッジライト方式の面光源が、近年、多用されてきている。
【０００３】
近年、ノートパソコンでは、マルチメディア視聴の機会が増加し、このような用途では、液晶表示装置に対する高解像度化、低消費電力化が求められている。さらに、ノートパソコンでは、携帯性を考慮し、軽量化、薄型化、低消費電力化の需要が高まっている。
この結果、ノートパソコンに使用される液晶表示装置用の面光源に対して輝度性能の向上、薄型化、低消費電力化が求められている。
【０００４】
一方、このような液晶表示装置に用いられる面光源用の導光体は、製造時に導光体の表面または裏面をブラスト装置（粗面化装置）で粗面化し、輝度の調整（均一化）を図っている。
【０００５】
このような用途で使用される粗面化装置（ブラスト装置）は、スクリューコンベアを利用した粉粒体定量供給装置で粉粒体を搬送する構成を備えている。
しかしながら、粉粒体は、粉粒体間に存在する気体の量によって、嵩密度が変動するため、スクリューコンベアを利用した粉粒体定量供給装置では、所定時間あたりの供給量を一定に保つことが難しかった。
【０００６】
また、スクリューコンベアを利用した粉粒体定量供給装置では、スクリューピッチによる送り斑が発生し、粉粒体を斑無く送り出すことが難しかった。
この結果、スクリューコンベアを利用した粉粒体定量供給装置を用いた粗面化装置では、均一且つ高精度な粗面を形成することが困難となっていた。
【０００７】
このため、ブラスト装置内に設けられたスクリューコンベアを利用した粉粒体定量供給装置の下流側に、１０％〜７０％の開口率を有する規制板を設けることで、スクリューコンベアが搬送した粉粒体を一旦、充填室に滞留させ、その後、被加工物側に粉粒体を供給する構成とし、毎分あたりの粉粒体の供給精度を向上させ、精密な粗面化加工を可能とする技術が提案されている(特許文献１参照)。
【先行技術文献】
【特許文献】
【０００８】
【特許文献１】特開２００７−１７６７０１号公報
【発明の概要】
【発明が解決しようとする課題】
【０００９】
しかしながら、上述したように、液晶表示装置用の面光源に輝度性能の向上、薄型化、低消費電力化が求められているため、このような面光源に使用される導光体の表面の粗面化にも、より高い精度が求められている。
【００１０】
この結果、導光体の表面を粗面化する粗面化装置に対して粉粒体の供給精度の向上が要求され、スクリューコンベアを利用した粉粒体定量供給装置における粉粒体の供給精度も、他の用途における分単位の供給量管理から、秒単位の供給量管理とし、精度を向上させることが望まれている。
即ち、一般的な粗面化では、ブラスト装置内での秒単位の粉粒体の供給量の斑が問題を引き起こすことは希であるが、導光体等の光学製品の粗面化では、一般的な用途では問題とならないような微少な粉粒体の供給斑が、最終製品上で視認される瑕疵となることがあるため、光学製品の粗面化では粉粒体の供給精度の更なる向上が望まれている。
【００１１】
また、高精度な粗面化が要求される他の用途においても、ブラスト装置の粉粒体定量供給装置において粉粒体を高い精度で供給することができる構成が求められている。
【００１２】
本発明は、このような課題を解決するためになされたものであり、秒単位で起こる粉粒体の供給量の斑を防止し、非常に高い精度で粉粒体供給量を制御できる粗面化装置および粗面化方法を提供することを目的とする。
【課題を解決するための手段】
【００１３】
本発明によれば、
粗面化装置であって、
粗面化に使用する粉粒体を所定量づつ供給する粉粒体定量供給装置を備え、
該粉粒体定量供給装置が、
前記粉粒体を収容する貯留タンクと、
一端側で前記貯留タンクから粉粒体を受け容れ、前記受け容れた粉粒体を、内部に配置されたスクリューコンベアによって他端に設けられた供給口に向けて搬送する搬送手段と、
該搬送手段の他端側であって前記供給口よりも上流側に形成された空間部からなる充填室と、
該充填室と前記供給口との間に設けられた規制板であって、前記粉粒体が通過する開口を形成する規制板と、を備え、
前記規制板による開口の開口率（Ｓ２／Ｓ１）が０．０１％〜９．５％である、
（ここで、Ｓ１は充填室の搬送方向に直交する方向の断面積から軸の断面積を差し引いた面積、Ｓ２は規制板による開口部の面積をＳ２である。）、
ことを特徴とする粗面化装置が提供される。
【００１４】
このような構成によれば、秒単位で起こる粉粒体の供給量の斑を防止し、非常に高い精度で粉粒体供給量が制御されるため、均一度が高い粗面化が可能となる。
【００１５】
本発明の他の好ましい態様によれば、
前記開口の幅が、前記粉粒体の最大径の２〜１０倍である。
【００１６】
本発明の他の好ましい態様によれば、
前記充填室の搬送方向に直交する方向の断面が、略円形の断面形状を有し、
前記規制板が、略円形の板形状を有し、前記充填室の前記断面形状に対し同心状に配置されている。
【００１７】
本発明の他の好ましい態様によれば、
前記規制板が、前記搬送手段の一端側に向かって先細りする截頭円錐形状を有している。
【００１８】
本発明の他の態様によれば、
粗面化に使用する粉粒体を所定量づつ供給する粉粒体定量供給装置を使用した粗面化方法であって、
該粉粒体定量供給装置であって、前記粉粒体を収容する貯留タンクと、一端側で前記貯留タンクから粉粒体を受け容れ、前記受け容れた粉粒体を、内部に配置されたスクリューコンベアによって他端に設けられた供給口に向けて搬送する搬送手段と、該搬送手段の他端側であって前記供給口よりも上流側に形成された空間部からなる充填室と、該充填室と前記供給口との間に設けられた規制板であって、前記粉粒体が通過する開口を形成する規制板と、を備え、前記規制板による開口の開口率（Ｓ２／Ｓ１）が０．０１％〜８％である粉粒体定量供給装置から供給された粉粒体で粗面化するステップを備えている、
（ここで、Ｓ１は充填室の搬送方向に直交する方向の断面積から軸の断面積を差し引いた面積、Ｓ２は規制板による開口部の面積である。）
ことを特徴とする粗面化方法が提供される。
【００１９】
このような粗面化方法によって加工された面光源用導光体等のワークは、例えば、携帯用ノートパソコン等のモニターや液晶テレビやビデオ一体型液晶テレビ等の表示部として使用される液晶表示装置のバックライトに、或いは、携帯電話機などの携帯型電子機器のディスプレイパネルや各種機器のインジケータとして使用される比較的小型の液晶表示装置のバックライトに、或いは、駅や公共施設などにおける案内表示板や看板として使用される液晶表示装置のバックライトに、或いは、高速道路や一般道路における交通標識等の標示装置として使用される液晶表示装置のバックライトに、好適である。
【発明の効果】
【００２０】
本発明によれば、秒単位で起こる粉粒体の供給量の斑を防止し、非常に高い精度で粉粒体供給量を制御できる粗面化装置および粗面化方法が提供される。
【図面の簡単な説明】
【００２１】
【図１】本発明の好ましい実施形態の粗面化装置に組み込まれる粉粒体定量供給装置１の概略的な構成を示す一部分を破断した模式的な図面である。
【図２】ケーシングの他端側部分を模式的に示す一部分を破断した拡大図である。
【図３】規制板の正面図である。
【図４】本発明の好ましい実施形態の粗面化装置の概略的な構成を示す模式的な図面である。
【図５】本発明の好ましい実施形態の粗面化装置に組み込まれる粉粒体定量供給装置な構成を示す図２と同様の模式的な図面である。
【図６】１０ｇ／ｍｉｎにおける１秒あたりの供給量の変動図である。
【図７】実施例のブラスト加工を説明する図面である。
【図８】実施例１でＳＵＳ板に施したブラスト加工品を示す図面である。
【図９】実施例１でＳＵＳ板に施したブラスト加工品を示す図面である。
【図１０】比較例１でＳＵＳ板に施したブラスト加工品を示す図面である。
【図１１】比較例１でＳＵＳ板に施したブラスト加工品を示す図面である。
【図１２】比較例２でＳＵＳ板に施したブラスト加工品を示す図面である。
【図１３】比較例２でＳＵＳ板に施したブラスト加工品を示す図面である。
【発明を実施するための形態】
【００２２】
以下、図面を参照して、本発明の好ましい実施形態の粗面化装置について説明する。
図１は、本発明の好ましい実施形態の粗面化装置に組み込まれる粉粒体定量供給装置１の概略的な構成を示す模式的な図面である。
【００２３】
粉粒体定量供給装置１は、貯留タンク２に貯蔵された粉粒体を、下流側に設けられた粗面化装置に、粉粒体を所定量ずつ供給する装置であり、当該粗面化装置は、液晶表示装置等の面光源に組み込まれる導光板等の表面を粗面化する装置である。
【００２４】
図１に示されているように、粉粒体定量供給装置１は、粉粒体を貯蔵するホッパー状の貯留タンク２と、粉粒体の搬送経路を規定し搬送手段を構成する中空円筒状のケーシング４を備えている。貯留タンク２の下端に設けられた開口（図示せず）が、ケーシング４の一端側に設けられた取入口６に接続され、貯留タンク２内の粉粒体が、ケーシング４の内部空間の一端側に順次、供給されるように構成されている。
【００２５】
ケーシング４内にはスクリューコンベア８が配置されている。スクリューコンベア８は、図１に模式的に示すように、ケーシング４の内部空間を長手方向に延びるように配置されている。
【００２６】
スクリューコンベア８は、公知のスクリューコンベアと同一の構成を有し、ケーシング４の一端側外方部分に配置されたモータ１０によって回転駆動される。詳細には、スクリューコンベア８はモータ１０の出力軸１４の周囲に取付けられ、出力軸１４はケーシング４の他端側まで延び他端側で軸受け１２によって支持されている。スクリューコンベア８は、貯留タンク２からケーシング４の内部空間の一端側に供給された粉粒体を、モータ１０の回転速度に応じて、貯留タンク２からケーシング４の内部空間の他端側に順次、搬送するように構成されている。
【００２７】
本記実施形態では粉粒体として、平均粒子径が８０μｍ、最大粒径１０５μｍ、かさ密度が１．４２ｇ／ｃｍ3のガラスビーズ研削材が使用されるが、アルミナ系、セラミック系、樹脂系の研磨材等も使用可能である。
【００２８】
図２は、このケーシング４の他端側部分を模式的に示す拡大図である。図２等に示されているように、ケーシング４の内部空間の搬送方向に直交する方向の断面（横断面）は略円形の断面形状を有しており、円形断面の開放した先端部分は、規制板１６によって部分的に閉鎖されている。スクリューコンベア８の他端（先端）は、規制板１６より貯留タンク２側の位置で終端し、その結果、スクリューコンベア８の他端（先端）と規制板１６との間に、スクリューコンベア８のスクリュー部分が配置されていない空間である充填室１８が形成されている。
さらに、図１および図２に示されているように、規制板１６で部分的に閉鎖されているケーシング４の先端部分には、下方に向かって開口した供給口２０に接続されている。
【００２９】
規制板１６は、図３に示されているように、ドーナツ形状を有する板部材であり、その外径は、ケーシング４の内部空間の円形断面の開放した先端部分の内径より小さく設定されている。また、ドーナツ形状の規制板１６は、中央開口１６ａにモータ１０の出力軸１４が挿通されることにより、出力軸１４の回転に伴って回転するとともに、ケーシング４の内部空間の円形断面の開放した先端部分を部分的に閉鎖するように構成されている。
【００３０】
したがって、モータ１０の出力軸１４に取付けられた規制板１６と、ケーシング４の内周面との間には、図３に斜線で示すように、ケーシング４の横断面と同心状の環状の開口部２２が形成されることになる。開口部２２の径方向長さ、すなわち規制板１６の外周縁とケーシング４の内周面とのクリアランスは、周方向に一定である。
この結果、スクリューコンベア８によって搬送されてきた粉粒体は、充填室１８内で一時的に滞留して所定密度に達し、その後、粉粒体は開口部２２を通じて供給口２０側に排出される。
【００３１】
本実施形態では、モータ１０の出力軸１４に直交する方向における充填室１８の断面積から出力軸１４の断面積を差し引いた面積（Ｓ１）に対する開口部２２の面積（＝充填室１８の断面積−規制板１６の面積）の比率Ｓ２／Ｓ１を開口率とする。
【００３２】
本実施形態においては、上記開口率の範囲は０．０１ないし９．５％である。開口率が９．５％以下の場合に、粉粒体の供給精度が良好となり、特に秒単位といった極めて短い時間での供給精度が良好となる傾向にある。また、開口率が０．０１％以上の場合に、粉粒体の目詰まりを起こさない傾向にある。開口率の上限値は、９％以下が好ましく、８．５％以下がより好ましい。また、開口率の下限値は、０．１％以上が好ましく、１％以上がより好ましい。
【００３３】
また、規制板１６の外周縁とケーシング４の内周面とのクリアランス即ち「開口の幅」は、供給される粉粒体の最大粒径（給粉体の最大径）の２倍から１０倍に設定するのが好ましく、３倍から７倍に設定するのがより好ましい。
【００３４】
具体的には、クリアランスが最大粒径の１５倍になるとスクリューコンベアによる供給量の斑が顕著に現れ、１秒間あたりの供給量変動が大きくなる傾向にある。クリアランスが最大粒径の１０倍以下になると供給量の斑が減少する。
【００３５】
また、クリアランスが、粉粒体の最大粒径より１０倍以上になると微少供給の時に規制板下部より大部分の粉粒体は落下し、規制板上部の隙間からの吐出が見られない現象があり供給精度の悪化を招く傾向にある。
また、粉粒体の最大径の２倍未満のクリアランスにすると目詰まりが起こりやすくなりスクリューモータに負担が掛かる場合がある。
【００３６】
次に、粉粒体定量供給装置１が組み込まれる本実施形態の粗面化装置３０の構成を説明する。図４は、粗面化装置３０の構成を模式的に示す図面である。
粗面化装置３０は、ブラストノズルに供給される圧縮気体の負圧力により噴射材（粉粒体）を吸引して、その圧縮気体と混合された粉粒体でブラストする吸引式ブラスト加工装置であり、図４に示されているように、粉粒体定量供給装置１から供給された粉粒体がブラストノズル３２に送られ、ブラストノズル３２に供給される圧縮エアーによって導光板等のワークに吹き付けられるように構成されている。
【００３７】
本実施形態の粗面化装置では、粉粒体定量供給装置１の充填室１８にスクリューコンベア８により搬送されてきた粉粒体が送り込まれる。上述したように、充填室１８の前方側、すなわちケーシング４の開放端は、規制板１６によって、部分的に閉鎖されているので、スクリューコンベア８で搬送されてきた粉粒体は、充填室１８内に滞留した後、規制板１６の外方に位置する環状の開口部２２から供給口２０に送られることになる。この充填室１８における滞留の際、粉粒体は充填室１８内で圧縮されて脱気され、かさ密度が所定値まで強制的に高められる。
【００３８】
したがって、貯留タンク２内の粉粒体間における気体の混入によるかさ密度の変動、およびスクリューコンベア８のスクリューピッチによる送りムラ等に影響されることなく、粉粒体が高い供給精度で一定量ずつ供給口２０に送られ、粗面化加工に使用されるため、面光源装置用導光体等に斑のない粗面化加工を施すことができる。
【００３９】
本発明の上記実施形態に限定されることなく、特許請求の範囲に記載された技術的思想の範囲内で種々の変更、変形が可能である。
上記実施形態で使用される規制板１６は、円板状の形状を有し、ケーシング４の開口端を部分的に閉鎖するものであったが、図５で示すように、貯留タンク１方向に向かって先細りした形状の截頭円錐形状を有し充填室内に配置された規制板（規制部材）４０であってもよい。また、截頭円錐に代え角錐型、円錐型等の他の形状でもよい。
【実施例】
【００４０】
次に、実施例に沿って本発明をさらに説明する。
表１に、用いた規制板の直径と開口率Ｓ２／Ｓ１の関係を示す。
【表１】
2012056710.tif 000003
【００４１】
［参考例］
搬送手段として、ケーシング径が３０ｍｍφであるスクリューコンベア８（モータの出力軸径８ｍｍφ）を用い、１分間ごとの粉粒体の供給量を測定した。
使用した粉粒体は、ＧＢ＃２２０：ガラスビーズ（ポッターズバロティーニ社製、平均粒子径８０μｍ、最大粒径１０５μｍ、真密度２．５２ｇ／ｃｍ3、かさ密度１．４２ｇ／ｃｍ3）である。
尚、粉粒体の供給量は、貯留タンクの取入口、及び規制板の下流側の供給口２０が大気圧の状態で行い、供給口２０で株式会社エー・アンド・デイ製のウエイング・インジケータ（ＡＤ−４４０１）、ロードセル（ＬＣ４１０１−Ｇ６００：最小重量単位  ０．０２ｇ）を用い測定した。
表１に示す規制板直径の異なる規制板を用いて開口率を変化させ、それぞれの開口率における１分間ごとの粉粒体の供給量を測定した。その結果を表２（粉粒体の供給量が１０ｇ／ｍｉｎの場合）及び表３（粉粒体の供給量が２０ｇ／ｍｉｎの場合）に示す。
なお、供給精度は以下の式により求めたものである。
供給精度（％）＝（３σ／μ）×１００％
ここで、μは供給量の平均値であり、σは標準偏差である。
【００４２】
【表２】
2012056710.tif 000004
【００４３】
【表３】
2012056710.tif 000005
【００４４】
表４は、表２及び表３の結果を開口率と供給精度との観点からまとめたものである。表４からわかるように、１分間あたりの供給精度を比較した場合、開口率が８．４％、１５％、２２％で供給精度はほぼ同じであり、差が認められなかった。
【表４】
2012056710.tif 000006
【００４５】
次に、同様の方法で１秒間ごとの粉粒体の供給量をそれぞれ測定し、供給精度を求めた。その結果を表５及に示す。なお、図６には、粉粒体の供給量が１０ｇ／ｍｉｎの場合の粉粒体の供給量を示した。
表５からわかるように、１秒間あたりの供給精度の場合には、開口率が８．４％の場合に、開口率が１５％や２２％に比べて、供給精度が格段に良好となることがわかった。
【００４６】
【表５】
2012056710.tif 000007
【００４７】
［実施例１］
図４に示すように、搬送手段として、ケーシング径が３０ｍｍφであるスクリューコンベア８（モータの出力軸径８ｍｍφ）及び直径が２８．８ｍｍφである規制板を用い、ブラスト装置としては、新東工業社製  吸引式ブラスト加工装置マイクロブラスター（型式：ＭＢ１−ＭＬ−０８７）を用いて、ＳＵＳ板の粗面化加工を行った。
粗面化加工は、図７に示すように、ワークであるＳＵＳ基板上にエアー吹き付け圧力０．４ＭＰa、ノズル移動速度２０ｍ／ｍｉｎ、ブラストノズル３２を５ｍｍピッチで規則的に移動させて平面加工を行なった。
使用した粉粒体は、ＧＢ＃２２０：ガラスビーズ（ポッターズバロティーニ社製、平均粒子径８０μｍ、最大粒径１０５μｍ、真密度２．５２ｇ／ｃｍ3、かさ密度１．４２ｇ／ｃｍ3）である。なお、粉粒体の供給量は１０ｇ／ｍｉｎ、２０ｇ／ｍｉｎで行った。
【００４８】
粗面化加工したＳＵＳ板の表面粗さを、ＨＩ−ＬＡＮＤ社製  ＲＩＳＡ−ＣＯＬＯＲ／ＯＮＥで測定した。結果を図８（粉粒体の供給量：１０ｇ／ｍｉｎ）及び図９（粉粒体の供給量：２０ｇ／ｍｉｎ）に示す。なお、図中において、ＳＵＳ板の一点鎖線部分の表面粗さを上方の方眼部分に示してある。
【００４９】
［比較例１］
規制板として、直径が２７．８ｍｍφの規制板を用いること以外は、実施例１と同様の方法で、ＳＵＳ板の粗面化加工を行った。結果を図１０（粉粒体の供給量：１０ｇ／ｍｉｎ）及び図１１（粉粒体の供給量：２０ｇ／ｍｉｎ）に示す。
【００５０】
［比較例２］
規制板として、直径が２６．７ｍｍφの規制板を用いること以外は、実施例１と同様の方法で、ＳＵＳ板の粗面化加工を行った。結果を図１２（粉粒体の供給量：１０ｇ／ｍｉｎ）及び図１３（粉粒体の供給量：２０ｇ／ｍｉｎ）に示す。
【００５１】
図８、図１０及び図１２並びに図９、図１１及び図１３からわかるように、開口率が８．４％の規制板を用いた場合には、開口率が１５％や２２％の規制板に比べて、粗面化加工後のＳＵＳ板の表面粗さの程度、すなわち粗面化加工の均一度が高い。この傾向は、特に、１０ｇ／ｍｉｎの供給量の場合に顕著であり、少ない粉体供給量においても、精度の高い粗面化加工が得られている。
【００５２】
以上、本実施例に示すように、規制板の開口率を０．０１〜９．５％に設定することで開口率１０％以上では成し遂げなかった供給精度の向上が見られ、その噴射材の供給精度に起因して起こるブラスト加工ムラの品位向上が可能となる。
【符号の説明】
【００５３】
１：粉粒体定量供給装置
２：貯留タンク
４：ケーシング
８：スクリューコンベア
１０：モータ
１６：規制板
１８：充填室
２０：供給口
【図１】
2012056710.tif 000008
【図２】
2012056710.tif 000009
【図３】
2012056710.tif 000010
【図４】
2012056710.tif 000011
【図５】
2012056710.tif 000012
【図６】
2012056710.tif 000013
【図７】
2012056710.tif 000014
【図８】
2012056710.tif 000015
【図９】
2012056710.tif 000016
【図１０】
2012056710.tif 000017
【図１１】
2012056710.tif 000018
【図１２】
2012056710.tif 000019
【図１３】
2012056710.tif 000020